(57)【特許請求の範囲】
【請求項１】
単一の電磁鋼板によって構成されるステータコアであって、
円環状の平板部と、
前記平板部から突出する複数のティースと、
前記平板部に対して垂直又は斜めとなるように前記平板部の内周縁又は外周縁から突出する周縁補強部と、
を有し、
前記周縁補強部は、前記平板部の前記内周縁又は前記外周縁に沿って円弧状に延びており、
前記周縁補強部に対して垂直又は斜めとなるように前記周縁補強部から突出する鍔部を更に有し、
前記鍔部は、前記周縁補強部に沿って円弧状に延びている、
ステータコア。
【請求項２】
請求項１に記載のステータコアであって、
前記平板部の板厚方向と前記鍔部の板厚方向は実質的に等しい、
ステータコア。
【請求項３】
請求項１又は２に記載のステータコアであって、
前記平板部には、前記平板部の板厚方向に膨らみ出る膨出部が形成されている、
ステータコア。
【請求項４】
請求項３に記載のステータコアであって、
前記膨出部の峰は、前記平板部の径方向に延びている、
ステータコア。
【請求項５】
請求項４に記載のステータコアであって、
前記膨出部を複数有し、
各膨出部は、各ティースの近傍に配置されている、
ステータコア。
【請求項６】
請求項３に記載のステータコアであって、
前記膨出部の峰は、前記平板部の周方向に延びている、
ステータコア。
【請求項７】
請求項３〜６の何れかに記載のステータコアであって、
前記膨出部は、前記平板部の前記内周縁と前記外周縁の間に配置されている、
ステータコア。
【請求項８】
請求項１〜７の何れかに記載のステータコアであって、
各ティースは、前記平板部から前記平板部の径方向に沿って突出する巻線部と、前記巻線部の先端から突出するロータ対向部と、を有し、
前記ロータ対向部の板厚方向と前記平板部の径方向は実質的に等しい、
ステータコア。
【請求項９】
請求項８に記載のステータコアであって、
前記ロータ対向部の幅寸法は、前記巻線部の幅寸法よりも大きい、
ステータコア。
【請求項１０】
請求項１〜９の何れかに記載のステータコアであって、
前記複数のティースは、前記平板部の前記内周縁から突出している、
ステータコア。
【請求項１１】
請求項１〜９の何れかに記載のステータコアであって、
前記複数のティースは、前記平板部の前記外周縁から突出している、
ステータコア。
【請求項１２】
請求項１〜１１の何れかに記載のステータコアであって、
前記平板部の周方向に隣り合う２つの前記ティースの間において、前記平板部に対して垂直又は斜めとなるように前記平板部の周縁から突出するティース間補強部を更に有する、
ステータコア。
【請求項１３】
請求項１又は２に記載のステータコアであって、
前記平板部には、
前記平板部の板厚方向に膨らみ出ると共に、峰が前記平板部の径方向に延びる、少なくとも２つの放射膨出部と、
前記平板部の板厚方向に膨らみ出ると共に、峰が前記平板部の周方向に延びる、少なくとも１つの円弧膨出部と、
が形成されており、
前記少なくとも２つの放射膨出部は、前記平板部の周方向において離れて配置されており、
前記少なくとも１つの円弧膨出部は、前記少なくとも２つの放射膨出部の間に配置されている、
ステータコア。
【請求項１４】
請求項１に記載のステータコアであって、
前記平板部には、前記平板部の板厚方向に膨らみ出る膨出部が形成されており、
各ティースは、前記平板部から前記平板部の径方向に沿って突出する巻線部と、前記巻線部の先端から突出するロータ対向部と、を有し、
前記周縁補強部、前記膨出部、及び前記ロータ対向部は、前記平板部の板厚方向において、前記平板部の片側に配置されている、
ステータコア。
【請求項１５】
単一の電磁鋼板によって構成されるステータコアであって、
円環状の平板部と、
前記平板部から突出する複数のティースと、
前記平板部に対して垂直又は斜めとなるように前記平板部の内周縁又は外周縁から突出する周縁補強部と、
を有し、
前記周縁補強部は、前記平板部の前記内周縁又は前記外周縁に沿って円弧状に延びており、
各ティースは、前記平板部から前記平板部の径方向に沿って突出する巻線部と、前記巻線部の先端から突出するロータ対向部と、を有し、
前記ロータ対向部の板厚方向と前記平板部の径方向は実質的に等しい、
ステータコア。
【請求項１６】
請求項１５に記載のステータコアであって、
前記ロータ対向部の幅寸法は、前記巻線部の幅寸法よりも大きい、
ステータコア。
【請求項１７】
単一の電磁鋼板によって構成されるステータコアであって、
円環状の平板部と、
前記平板部から突出する複数のティースと、
前記平板部に対して垂直又は斜めとなるように前記平板部の内周縁又は外周縁から突出する周縁補強部と、
を有し、
前記周縁補強部は、前記平板部の前記内周縁又は前記外周縁に沿って円弧状に延びており、
前記平板部の周方向に隣り合う２つの前記ティースの間において、前記平板部に対して垂直又は斜めとなるように前記平板部の周縁から突出するティース間補強部を更に有する、
ステータコア。
【請求項１８】
単一の電磁鋼板によって構成されるステータコアであって、
円環状の平板部と、
前記平板部から突出する複数のティースと、
前記平板部に対して垂直又は斜めとなるように前記平板部の内周縁又は外周縁から突出する周縁補強部と、
を有し、
前記周縁補強部は、前記平板部の前記内周縁又は前記外周縁に沿って円弧状に延びており、
前記平板部には、
前記平板部の板厚方向に膨らみ出ると共に、峰が前記平板部の径方向に延びる、少なくとも２つの放射膨出部と、
前記平板部の板厚方向に膨らみ出ると共に、峰が前記平板部の周方向に延びる、少なくとも１つの円弧膨出部と、
が形成されており、
前記少なくとも２つの放射膨出部は、前記平板部の周方向において離れて配置されており、
前記少なくとも１つの円弧膨出部は、前記少なくとも２つの放射膨出部の間に配置されており、
前記少なくとも１つの円弧膨出部と、前記少なくとも２つの放射膨出部と、は互いに離れて形成されている、
ステータコア。
【請求項１９】
単一の電磁鋼板によって構成されるステータコアであって、
円環状の平板部と、
前記平板部から突出する複数のティースと、
前記平板部に対して垂直又は斜めとなるように前記平板部の内周縁又は外周縁から突出する周縁補強部と、
を有し、
前記周縁補強部は、前記平板部の前記内周縁又は前記外周縁に沿って円弧状に延びており、
前記平板部には、前記平板部の板厚方向に膨らみ出る膨出部が形成されており、
各ティースは、前記平板部から前記平板部の径方向に沿って突出する巻線部と、前記巻線部の先端から突出するロータ対向部と、を有し、
前記周縁補強部、前記膨出部、及び前記ロータ対向部は、前記平板部の板厚方向において、前記平板部の片側に配置されている、
ステータコア。
【発明の詳細な説明】
【技術分野】
【０００１】
本発明は、ステータコアに関する。
【背景技術】
【０００２】
特許文献１は、本願の図１５に示すように、角度検出装置の固定子１００を開示している。固定子１００は、固定子鉄心１０１と図示しない多層プリント基板を備える。固定子鉄心１０１は、輪状を成す単一の金属板をプレス加工等で折り曲げて形成されている。固定子鉄心１０１は、垂直方向に延びる複数のヨーク１０２を有する。ヨーク１０２は、固定子鉄心１０１の内側部分を切り起こすことで形成されている。多層プリント基板には、コイルパターンが形成されている。固定子鉄心１０１に多層プリント基板を重ね合わせることで、ヨーク１０２のまわりにコイルが形成される。固定子１００の内側に回転子が配置される。
【先行技術文献】
【特許文献】
【０００３】
【特許文献１】特開２０００−２９２１２０号公報
【発明の概要】
【発明が解決しようとする課題】
【０００４】
上記特許文献１の固定子鉄心１０１は、単一の金属板によって形成されているので変形し易い。従って、上記特許文献１の角度検出装置は、振動が発生するような環境で使用すると、所望の検出精度が得られない場合があった。
【０００５】
そこで、本発明の目的は、単一の電磁鋼板によって構成されたステータコアの剛性を高め、振動が発生するような環境でも十分な性能が得られるステータコアを実現することにある。
【課題を解決するための手段】
【０００６】
本願発明の第１の観点によれば、単一の電磁鋼板によって構成されるステータコアであって、円環状の平板部と、前記平板部から突出する複数のティースと、前記平板部に対して垂直又は斜めとなるように前記平板部の内周縁又は外周縁から突出する周縁補強部と、を有し、前記周縁補強部は、前記平板部の前記内周縁又は前記外周縁に沿って円弧状に延びており、前記周縁補強部に対して垂直又は斜めとなるように前記周縁補強部から突出する鍔部を更に有し、前記鍔部は、前記周縁補強部に沿って円弧状に延びている、ステータコアが提供される。
好ましくは、前記平板部の板厚方向と前記鍔部の板厚方向は実質的に等しい。
好ましくは、前記平板部には、前記平板部の板厚方向に膨らみ出る膨出部が形成されている。
好ましくは、前記膨出部の峰は、前記平板部の径方向に延びている。
好ましくは、前記膨出部を複数有し、各膨出部は、各ティースの近傍に配置されている。
好ましくは、前記膨出部の峰は、前記平板部の周方向に延びている。
好ましくは、前記膨出部は、前記平板部の前記内周縁と前記外周縁の間に配置されている。
好ましくは、各ティースは、前記平板部から前記平板部の径方向に沿って突出する巻線部と、前記巻線部の先端から突出するロータ対向部と、を有し、前記ロータ対向部の板厚方向と前記平板部の径方向は実質的に等しい。
好ましくは、前記ロータ対向部の幅寸法は、前記巻線部の幅寸法よりも大きい。
好ましくは、前記複数のティースは、前記平板部の前記内周縁から突出している。
好ましくは、前記複数のティースは、前記平板部の前記外周縁から突出している。
好ましくは、前記平板部の周方向に隣り合う２つの前記ティースの間において、前記平板部に対して垂直又は斜めとなるように前記平板部の周縁から突出するティース間補強部を更に有する。
好ましくは、前記平板部には、前記平板部の板厚方向に膨らみ出ると共に、峰が前記平板部の径方向に延びる、少なくとも２つの放射膨出部と、前記平板部の板厚方向に膨らみ出ると共に、峰が前記平板部の周方向に延びる、少なくとも１つの円弧膨出部と、が形成されており、前記少なくとも２つの放射膨出部は、前記平板部の周方向において離れて配置されており、前記少なくとも１つの円弧膨出部は、前記少なくとも２つの放射膨出部の間に配置されている。
好ましくは、前記平板部には、前記平板部の板厚方向に膨らみ出る膨出部が形成されており、各ティースは、前記平板部から前記平板部の径方向に沿って突出する巻線部と、前記巻線部の先端から突出するロータ対向部と、を有し、前記周縁補強部、前記膨出部、及び前記ロータ対向部は、前記平板部の板厚方向において、前記平板部の片側に配置されている。
本願発明の第２の観点によれば、単一の電磁鋼板によって構成されるステータコアであって、円環状の平板部と、前記平板部から突出する複数のティースと、前記平板部に対して垂直又は斜めとなるように前記平板部の内周縁又は外周縁から突出する周縁補強部と、を有し、前記周縁補強部は、前記平板部の前記内周縁又は前記外周縁に沿って円弧状に延びており、各ティースは、前記平板部から前記平板部の径方向に沿って突出する巻線部と、前記巻線部の先端から突出するロータ対向部と、を有し、前記ロータ対向部の板厚方向と前記平板部の径方向は実質的に等しい、ステータコアが提供される。
好ましくは、前記ロータ対向部の幅寸法は、前記巻線部の幅寸法よりも大きい。
本願発明の第３の観点によれば、単一の電磁鋼板によって構成されるステータコアであって、円環状の平板部と、前記平板部から突出する複数のティースと、前記平板部に対して垂直又は斜めとなるように前記平板部の内周縁又は外周縁から突出する周縁補強部と、を有し、前記周縁補強部は、前記平板部の前記内周縁又は前記外周縁に沿って円弧状に延びており、前記平板部の周方向に隣り合う２つの前記ティースの間において、前記平板部に対して垂直又は斜めとなるように前記平板部の周縁から突出するティース間補強部を更に有する、ステータコアが提供される。
本願発明の第４の観点によれば、単一の電磁鋼板によって構成されるステータコアであって、円環状の平板部と、前記平板部から突出する複数のティースと、前記平板部に対して垂直又は斜めとなるように前記平板部の内周縁又は外周縁から突出する周縁補強部と、を有し、前記周縁補強部は、前記平板部の前記内周縁又は前記外周縁に沿って円弧状に延びており、前記平板部には、前記平板部の板厚方向に膨らみ出ると共に、峰が前記平板部の径方向に延びる、少なくとも２つの放射膨出部と、前記平板部の板厚方向に膨らみ出ると共に、峰が前記平板部の周方向に延びる、少なくとも１つの円弧膨出部と、が形成されており、前記少なくとも２つの放射膨出部は、前記平板部の周方向において離れて配置されており、前記少なくとも１つの円弧膨出部は、前記少なくとも２つの放射膨出部の間に配置されており、前記少なくとも１つの円弧膨出部と、前記少なくとも２つの放射膨出部と、は互いに離れて形成されている、ステータコアが提供される。
本願発明の第５の観点によれば、単一の電磁鋼板によって構成されるステータコアであって、円環状の平板部と、前記平板部から突出する複数のティースと、前記平板部に対して垂直又は斜めとなるように前記平板部の内周縁又は外周縁から突出する周縁補強部と、を有し、前記周縁補強部は、前記平板部の前記内周縁又は前記外周縁に沿って円弧状に延びており、前記平板部には、前記平板部の板厚方向に膨らみ出る膨出部が形成されており、各ティースは、前記平板部から前記平板部の径方向に沿って突出する巻線部と、前記巻線部の先端から突出するロータ対向部と、を有し、前記周縁補強部、前記膨出部、及び前記ロータ対向部は、前記平板部の板厚方向において、前記平板部の片側に配置されている、ステータコアが提供される。
【発明の効果】
【０００７】
本発明によれば、前記周縁補強部の存在により前記ステータコアの剛性が高くなり、振動が発生するような環境でも十分な性能が得られるステータコアが実現される。
【図面の簡単な説明】
【０００８】
【図１】ステータコアの斜視図である。（第１実施形態）
【図２】図１のA部拡大図である。（第１実施形態）
【図３】図２のIII-III線端面図である。（第１実施形態）
【図４】図２のIV-IV線端面図である。（第１実施形態）
【図５】ステータコアの斜視図である。（第２実施形態）
【図６】図５のB部拡大図である。（第２実施形態）
【図７】図６のVII-VII線端面図である。（第２実施形態）
【図８】図６のVIII-VIII線端面図である。（第２実施形態）
【図９】図６に類似する図である。（第３実施形態）
【図１０】図９のX-X線端面図である。（第３実施形態）
【図１１】図６に類似する図である。（第４実施形態）
【図１２】ステータコアの斜視図である。（第５実施形態）
【図１３】図１２のC部拡大図である。（第５実施形態）
【図１４】図１３のXIV-XIV線端面図である。（第５実施形態）
【図１５】特許文献１の図１１に相当する図である。
【発明を実施するための形態】
【０００９】
（第１実施形態）
以下、図１〜図４を参照して、第１実施形態を説明する。
【００１０】
図１に示すように、レゾルバのステータに用いられるステータコア１は、生産コスト低減及び軽量化を目的として、単一の電磁鋼板によって構成されている。即ち、単一の電磁鋼板をプレス加工等で折り曲げることでステータコア１が形成されている。
【００１１】
ステータコア１は、平板部２と、複数のティース３、周縁補強部４、鍔部５を有する。
【００１２】
平板部２は、円環状の平板である。図１〜図３に示すように、平板部２は、内周縁６と外周縁７を有する。
【００１３】
複数のティース３は、平板部２の内周縁６から内側に突出している。複数のティース３は、平板部２の周方向において等間隔で並べられている。図２に示すように、各ティース３は、巻線部８とロータ対向部９を有する。図４に示すように、巻線部８は、ステータ巻線３２を巻き付ける部分である。図２に示すように、巻線部８は、平板部２の内周縁６から平板部２の径方向に沿って内側に突出している。ロータ対向部９は、レゾルバの図示しないローターの外周面に対して対向する部分である。図２及び図４に示すように、ロータ対向部９は、巻線部８の先端１０から、平板部２の板厚方向に突出している。ロータ対向部９の板厚方向と平板部２の径方向は実質的に等しい。そして、図２に示すように、ロータ対向部９の幅寸法９Wは、巻線部８の幅寸法８Wよりも大きい。
【００１４】
図４には、平板部２及びティース３を挟むように配置された上絶縁体３０と下絶縁体３１を二点鎖線で示している。
【００１５】
図１に示すように、周縁補強部４は、平板部２の外側に配置されている。鍔部５は、周縁補強部４の外側に配置されている。
【００１６】
図１、図３、図４に示すように、周縁補強部４は、平板部２の外周縁７から外側に突出する円環状の部分である。図１に示すように、周縁補強部４は、平板部２の外周縁７に沿って円環状に延びている。図３及び図４に示すように、周縁補強部４は、平板部２に対して斜めとなるように平板部２の外周縁７から外側に突出している。詳しく言えば、図３に示す端面図において、周縁補強部４の板厚方向は、平板部２の板厚方向に対して約４５度、傾斜している。
【００１７】
図１、図３、図４に示すように、鍔部５は、周縁補強部４の外周縁１１から外側に突出する円環状の部分である。鍔部５は、周縁補強部４の外周縁１１に沿って円環状に延びている。図３及び図４に示すように、鍔部５は、周縁補強部４に対して斜めとなるように周縁補強部４の外周縁１１から外側に突出している。詳しく言えば、図３に示す端面図において、鍔部５の板厚方向は、周縁補強部４の板厚方向に対して約４５度、傾斜している。また、鍔部５の板厚方向と平板部２の板厚方向は実質的に等しい。
【００１８】
そして、図４に示すように、周縁補強部４及び鍔部５、ティース３のロータ対向部９は、平板部２の板厚方向において、平板部２の片側に配置されている。
【００１９】
図１〜図４に示すように、平板部２に周縁補強部４及び鍔部５を形成することで、ステータコア１の剛性が高くなり、平板部２で発生してティース３に伝わる振動が抑えられるので、振動が発生するような環境でも問題なくステータコア１を使用することができるようになる。
【００２０】
以上に、第１実施形態を説明したが、上記第１実施形態は以下の特長を有する。
【００２１】
（１）図１〜図４に示すように、レゾルバのステータに用いられるステータコア１は、単一の電磁鋼板によって構成される。ステータコア１は、円環状の平板部２と、平板部２から突出する複数のティース３と、平板部２に対して斜めとなるように平板部２の外周縁７から突出する周縁補強部４と、を有する。周縁補強部４は、平板部２の外周縁７に沿って円環状に延びている。以上の構成によれば、周縁補強部４の存在によりステータコア１の剛性が高くなり、振動が発生するような環境でも十分な性能が得られるステータコア１が実現される。
【００２２】
なお、周縁補強部４は、平板部２に対して斜めとなるように平板部２から突出することに代えて、平板部２に対して垂直となるように平板部２から突出してもよい。この場合、ステータコア１の剛性が更に高くなる。
【００２３】
また、周縁補強部４は、平板部２の外周縁７から突出すると共に平板部２の外周縁７に沿って延びることに代えて、平板部２の内周縁６から突出すると共に平板部２の内周縁６に沿って延びてもよい。この場合でも、ステータコア１の高い剛性が得られる。
【００２４】
また、周縁補強部４は、平板部２の外周縁７に沿って円環状に延びることに代えて、平板部２の外周縁７に沿って円弧状に延びてもよい。この場合でも、ステータコア１の高い剛性が得られる。
【００２５】
（２）図１〜図４に示すように、ステータコア１は、周縁補強部４に対して斜めとなるように周縁補強部４から突出する鍔部５を更に有する。鍔部５は、周縁補強部４に沿って円環状に延びている。以上の構成によれば、鍔部５の存在によりステータコア１の剛性が一層高くなる。
【００２６】
なお、鍔部５は、周縁補強部４に対して斜めとなるように周縁補強部４から突出ことに代えて、周縁補強部４に対して垂直となるように周縁補強部４から突出してもよい。この場合、ステータコア１の剛性が更に高くなる。
【００２７】
また、鍔部５は、周縁補強部４に沿って円環状に延びることに代えて、周縁補強部４に沿って円弧状に延びてもよい。この場合でも、ステータコア１の高い剛性が得られる。
【００２８】
（３）図３及び図４に示すように、平板部２の板厚方向と鍔部５の板厚方向は実質的に等しい。以上の構成によれば、例えば順送式プレス成形機にてステータコア１を順送する場合、鍔部５の存在によりステータコア１を順送し易くなるので、ステータコア１の生産性が向上する。
【００２９】
（９）図２に示すように、各ティース３は、平板部２から平板部２の径方向に沿って突出する巻線部８と、巻線部８の先端１０から突出するロータ対向部９と、を有している。ロータ対向部９の板厚方向と平板部２の径方向は実質的に等しい。以上の構成によれば、簡素な構造のティース３が実現される。
【００３０】
（１０）図２に示すように、ロータ対向部９の幅寸法９Wは、巻線部８の幅寸法８Wよりも大きい。以上の構成によれば、ロータ対向部９の幅寸法９Wと巻線部８の幅寸法８Wが等しい場合と比較して、巻線部８にステータ巻線を巻き付けるための作業空間を効果的に確保できる。
【００３１】
（１１、１２）図１に示すように、複数のティース３は、平板部２の内周縁６から突出している。しかし、これに代えて、複数のティース３は、平板部２の外周縁７から突出してもよい。即ち、複数のティース３を平板部２の内周縁６と外周縁７のどちらから突出させるかは、レゾルバの形態がインナーローターであるかアウターローターであるかによって適宜決定すればよい。
【００３２】
（第２実施形態）
以下、図５〜図８を参照して、第２実施形態を説明する。ここでは、本実施形態が上記第１実施形態と異なる点を主として説明し、重複する説明は省略する。
【００３３】
図５、図６、図８に示すように、本実施形態において平板部２には、平板部２の板厚方向に膨らみ出る複数の放射膨出部１５（膨出部）が形成されている。複数の放射膨出部１５は、平板部２の周方向において離れて配置されている。詳しくは、複数の放射膨出部１５は、平板部２の周方向において等間隔で配置されている。各放射膨出部１５は、平板部２の径方向に延びている。各放射膨出部１５の存在により、平板部２の剛性が一層高くなっている。また、各放射膨出部１５と各ティース３は、平板部２の径方向に沿って並んでいる。各放射膨出部１５は、各ティース３の近傍に形成されている。各放射膨出部１５の存在により、各ティース３の近傍部分の剛性が高くなるので、各ティース３が撓み難くなる。
【００３４】
また、図５、図６、図７に示すように、ステータコア１は、複数のティース間補強部１６を更に有する。各ティース間補強部１６は、平板部２の周方向に隣り合う２つのティース３の間において、平板部２に対して斜めとなるように平板部２の内周縁６（周縁）から突出している。各ティース間補強部１６の存在により、平板部２の剛性が一層高くなっている。
【００３５】
以上に、第２実施形態を説明したが、上記第２実施形態は以下の特長を有する。
【００３６】
（４）図５、図６、図８に示すように、平板部２には、平板部２の板厚方向に膨らみ出る放射膨出部１５（膨出部）が形成されている。以上の構成によれば、放射膨出部１５の存在によりステータコア１の剛性が一層高くなる。
【００３７】
（５）図６に示すように、放射膨出部１５は、平板部２の径方向に延びている。
【００３８】
（６）図５及び図６に示すように、ステータコア１は、放射膨出部１５を複数有する。各放射膨出部１５は、各ティース３の近傍に配置されている。以上の構成によれば、各ティース３の近傍部分の剛性が高くなるので、各ティース３が一層撓み難くなる。
【００３９】
（１３）図６及び図７に示すように、ステータコア１は、平板部２の周方向に隣り合う２つのティース３の間において、平板部２に対して斜めとなるように平板部２の内周縁６から突出するティース間補強部１６を更に有する。以上の構成によれば、平板部２の剛性が一層高くなると共に、各ティース３が一層撓み難くなる。
【００４０】
なお、ティース間補強部１６は、平板部２に対して斜めとなるように平板部２の内周縁６から突出することに代えて、平板部２に対して垂直となるように平板部２の内周縁６から突出してもよい。この場合、平板部２の剛性が一層高くなる。
【００４１】
（１５）図８に示すように、周縁補強部４、放射膨出部１５、ロータ対向部９は、平板部２の板厚方向において、平板部２の片側に配置されている。
【００４２】
（第３実施形態）
以下、図９及び図１０を参照して、第３実施形態を説明する。ここでは、本実施形態が上記第２実施形態と異なる点を主として説明し、重複する説明は省略する。
【００４３】
図９及び図１０に示すように、本実施形態において平板部２には、複数の放射膨出部１５に加えて、円環膨出部１７（膨出部）が形成されている。円環膨出部１７は、平板部２の板厚方向に膨らみ出る部分であって、平板部２の内周縁６と外周縁７の間において、平板部２の周方向に円環状に延びている。円環膨出部１７は、複数の放射膨出部１５の外側に配置されている。
【００４４】
以上に、第３実施形態を説明したが、上記第３実施形態は以下の特長を有する。
【００４５】
（７）ステータコア１は、円環膨出部１７（膨出部）を有する。円環膨出部１７は、平板部２の周方向に延びている。以上の構成によれば、平板部２の剛性が一層高くなる。
【００４６】
（８）円環膨出部１７は、平板部２の内周縁６と外周縁７の間に配置されている。
【００４７】
（第４実施形態）
以下、図１１を参照して、第４実施形態を説明する。ここでは、本実施形態が上記第３実施形態と異なる点を主として説明し、重複する説明は省略する。
【００４８】
上記第３実施形態のステータコア１は、１つの円環膨出部１７を有する。これに対し、本実施形態のステータコア１は、１つの円環膨出部１７に代えて、複数の円弧状の円弧膨出部１８（膨出部）を有する。
【００４９】
本実施形態の各放射膨出部１５は、平板部２の外周縁７近傍に至るまで長く延びている。
【００５０】
各円弧膨出部１８は、平板部２の周方向に沿って円弧状に延びている。そして、各円弧膨出部１８は、平板部２の周方向で隣り合う２つの放射膨出部１５の間に夫々配置されている。
【００５１】
以上に、第４実施形態を説明したが、上記第４実施形態は、以下の特長を有する。
【００５２】
（１４）平板部２には、平板部２の板厚方向に膨らみ出ると共に、平板部２の径方向に延びる、少なくとも２つの放射膨出部１５と、平板部２の板厚方向に膨らみ出ると共に、平板部２の周方向に延びる、少なくとも１つの円弧膨出部１８と、が形成されている。少なくとも２つの放射膨出部１５は、平板部２の周方向において離れて配置されている。少なくとも１つの円弧膨出部１８は、少なくとも２つの放射膨出部１５の間に配置されている。以上の構成によれば、平板部２の剛性が飛躍的に高められる。
【００５３】
（第５実施形態）
以下、図１２〜図１４を参照して、第５実施形態を説明する。ここでは、本実施形態が上記第１実施形態と異なる点を主として説明し、重複する説明は省略する。
【００５４】
上記第１実施形態では、図１に示すように、周縁補強部４の外側に鍔部５を配置することによって、平板部２の剛性確保とステータコア１の順送し易さを実現している。しかし、これに代えて、図１２〜図１４に示すように、鍔部５は省略することができる。
【符号の説明】
【００５５】
１  ステータコア
２  平板部
３  ティース
４  周縁補強部
５  鍔部
６  内周縁（周縁）
７  外周縁（周縁）
８  巻線部
８W  幅寸法
９  ロータ対向部
９W  幅寸法
１０  先端
１１  外周縁（周縁）
１５  放射膨出部（膨出部）
１６  ティース間補強部
１７  円環膨出部（膨出部）
１８  円弧膨出部（膨出部）
３０  上絶縁体
３１  下絶縁体
３２  ステータ巻線
【図１】
0006480162.tif 000002
【図２】
0006480162.tif 000003
【図３】
0006480162.tif 000004
【図４】
0006480162.tif 000005
【図５】
0006480162.tif 000006
【図６】
0006480162.tif 000007
【図７】
0006480162.tif 000008
【図８】
0006480162.tif 000009
【図９】
0006480162.tif 000010
【図１０】
0006480162.tif 000011
【図１１】
0006480162.tif 000012
【図１２】
0006480162.tif 000013
【図１３】
0006480162.tif 000014
【図１４】
0006480162.tif 000015
【図１５】
0006480162.tif 000016